(57)【特許請求の範囲】
【請求項１】
ファインダ光学系を構成する複数のレンズの中で特定のレンズを視度補正用レンズとし、該視度補正用レンズを光軸方向に微少移動することによって視度補正を行うズームファインダであって、
温度変化に応じて前記視度補正用レンズを光軸方向に微少移動させて、温度変化に伴う視度のズレを補正する視度補正手段を備え、
前記視度補正手段は、光軸方向に微少移動可能な状態で前記視度補正用レンズを保持する保持部と、温度変化に伴い膨張或いは収縮して、温度変化に応じた変位を生じる変位部と、該変位部の変位を光軸方向の変位に変換して前記視度補正用レンズに伝達する伝達部と、を備えることを特徴とするズームファインダ。
【請求項２】
前記伝達部は、中途部を軸として回動することにより、一方の端部から他方の端部に変位を伝達可能なレバー部材を備え、
前記変位部は、前記レバー部材の中途部を回動可能な状態で保持する第１の部材と、前記レバー部材の一方の端部と前記第１の部材との間に介設され、温度変化に対する線膨張係数が前記第１の部材と異なる第２の部材と、を備え、
前記レバー部材は、温度変化に伴い前記第１の部材と前記第２の部材との間に生じる相対的な変位が、該レバー部材の一方の端部から他方の端部に伝達されることで、前記相対的な変位を光軸方向の変位に変換して前記視度補正用レンズに伝達するようになっていることを特徴とする請求項１記載のズームファインダ。
【請求項３】
前記伝達部は、特定のズーム状態における視度が温度変化に関係なくほぼ一定値となるように、前記変位部の変位を拡大又は縮小して前記視度補正用レンズに伝達することを特徴とする請求項１又は２に記載のズームファインダ。
【請求項４】
前記伝達部は、広角端及び望遠端の両ズーム状態における視度が温度変化に関係なくほぼ一致した状態となるように、前記変位部の変位を拡大又は縮小して前記視度補正用レンズに伝達することを特徴とする請求項１又は２に記載のズームファインダ。
【請求項５】
請求項１〜４の何れかに記載のズームファインダを備えることを特徴とする光学装置。
【発明の詳細な説明】
【０００１】
【発明の属する技術分野】
本発明は、撮影レンズの焦点距離の変化に対応して倍率が変化するズームファインダ及びこれを備える光学装置に関する。
【０００２】
【従来の技術】
本出願人は、先に、撮影レンズの焦点距離の変化に対応して倍率が変化するズームファインダを開発すると共に、このズームファインダを特開平１１−２４９２０１号において開示している。
このズームファインダは、物体側から眼球側に向かって順に、正の屈折力の対物レンズ系と、正立化のための中間光学系と、正の屈折力の接眼レンズ系とを備えている。そして、上記対物レンズ系は、第１〜第３のレンズ群を備え、これらレンズ群のうち変倍比に対応して動く第２のレンズ群は、温度変化に伴う屈折率の変化が小さいガラス製の第１のレンズと、少なくとも一面が非球面であるプラスチック製の第２のレンズとを備えている。
このズームファインダによれば、変倍比が大きな場合であっても、常温において広角端から望遠端にわたり視度が安定した快適な視野が得られると共に、広い温度範囲において視度を快適な範囲に収めることができる。
【０００３】
【発明が解決しようとする課題】
しかしながら、上記従来のズームファインダでは、光学系の一部（第１のレンズ）にガラス製のレンズを用いており、このガラス製のレンズには、▲１▼プラスチック製のレンズより高価である、▲２▼形状の自由度が制限される、といった欠点がある。
【０００４】
本発明の課題は、変倍比の大きなズームファインダにおいて、ガラス製のレンズを用いずに、温度変化に伴う視度の変動を少なくすることである。
【０００５】
【課題を解決するための手段】
以上の課題を解決するため、請求項１記載の発明は、
例えば、図１及び図２に示すように、
ファインダ光学系（例えば、対物レンズ系１と中間光学系と接眼レンズ系とを備えるファインダ光学系など）を構成する複数のレンズの中で特定のレンズを視度補正用レンズ（例えば、対物レンズ系１の第１のレンズ群Ｇ１など）とし、該視度補正用レンズを光軸方向に微少移動することによって視度補正を行うズームファインダであって、
温度変化に応じて前記視度補正用レンズを光軸方向に微少移動させて、温度変化に伴う視度のズレを補正する視度補正手段（１０）を備えることを特徴とする。
【０００６】
請求項１記載の発明によれば、視度補正手段が、温度変化に応じて視度補正用レンズを光軸方向に微少移動させて、温度変化に伴う視度のズレを補正するので、温度変化に伴う視度の変動を少なくすることができる。
従って、従来よりも広い温度範囲において、視度を快適な範囲に収めることができる。特に、変倍比の大きな実像式のズームファインダにおいては、一般に、温度変化に伴う視度の変動が大きく、また、ズーム状態により視度にバラツキが生じ易いとされるので、より大きな効果を奏することができる。
また、ガラス製のレンズを用いる場合のように、レンズのコストが増大したり、レンズの形状に制限を受けたりすることもない。
【０００７】
ここで、視度補正手段としては、例えば、温度変化に伴う膨張或いは収縮により生じる変位を利用して、視度補正用レンズを光軸方向に微少移動させるものや、或いはモータ等の駆動手段と、温度変化を検出する温度センサ等の検出手段とを備えて、該検出手段による検出に基づき前記駆動手段を制御して視度補正用レンズを光軸方向に微少移動させるものなどが挙げられる。
【０００８】
本発明において、例えば、図１及び図２に示すように、前記視度補正手段は、光軸方向に微少移動可能な状態で前記視度補正用レンズを保持する保持部（例えば、弾性部材７など）と、温度変化に伴い膨張或いは収縮して、温度変化に応じた変位を生じる変位部（例えば、本体枠４とシャフト５からなる変位部など）と、該変位部の変位を光軸方向の変位に変換して前記視度補正用レンズに伝達する伝達部（例えば、レバー部材６など）と、を備えることを特徴とする。
【０００９】
本発明によれば、保持部により視度補正用レンズが光軸方向に微少移動可能な状態で保持されていて、例えば、温度変化があった場合には、該温度変化に伴い変位部が膨張或いは収縮して温度変化に応じた変位を生じると共に、該変位を伝達部が光軸方向の変位に変換して視度補正用レンズに伝達するので、温度変化があった場合には、その温度変化に応じて視度補正用レンズが自動的に光軸方向に微少移動されることとなる。
従って、例えば、モータ等の駆動手段や、温度センサ等の検出手段、該検出手段による検出に基づき前記駆動手段を制御するＣＰＵ等の制御手段などを備えて構成される視度補正手段などと比べて、視度補正手段の構成が簡素となり、ズームファインダの小型化が可能となる。
【００１０】
ここで、保持部としては、例えば、少なくとも一部が弾性部材からなり、該弾性部材が弾性変形することにより視度補正用レンズを光軸方向に移動するものや、或いはレール等の案内手段を備え、該案内手段により視度補正用レンズを光軸方向に移動するもの等が挙げられる。また、伝達部としては、例えば、レバー部材を用いた機構や、或いはリンク、歯車等を用いた機構などが挙げられるが、変位部の変位を光軸方向の変位に変換して前記視度補正用レンズに伝達可能であれば、どのような構成のものであってもよい。
【００１１】
請求項２記載の発明は、請求項１記載のズームファインダにおいて、例えば、図１及び図２に示すように、
前記伝達部は、中途部を軸として回動することにより、一方の端部から他方の端部に変位を伝達可能なレバー部材（６）を備え、
前記変位部は、前記レバー部材の中途部を回動可能な状態で保持する第１の部材（例えば、本体枠４など）と、前記レバー部材の一方の端部と前記第１の部材との間に介設され、温度変化に対する線膨張係数が前記第１の部材と異なる第２の部材（例えば、シャフト５など）と、を備え、
前記レバー部材は、温度変化に伴い前記第１の部材と前記第２の部材との間に生じる相対的な変位が、該レバー部材の一方の端部から他方の端部に伝達されることで、前記相対的な変位を光軸方向の変位に変換して前記視度補正用レンズに伝達するようになっていることを特徴とする。
【００１２】
請求項２記載の発明によれば、温度変化に対する線膨張係数が第１の部材と第２の部材とで異なっているので、例えば、温度変化があった場合には、第２の部材と第１の部材との間で相対的な変位が生じて、該変位が、レバー部材が回動することにより、レバー部材の一方の端部から他方の端部に伝達される。そして、そのときのレバー部材の回動量及び回動方向が温度の変化状態に依存することとなるので、温度の変化状態に応じた変位がレバー部材によって視度補正用レンズに伝達される。
【００１３】
請求項３記載の発明は、請求項１又は２に記載のズームファインダにおいて、
前記伝達部は、特定のズーム状態における視度が温度変化に関係なくほぼ一定値となるように、前記変位部の変位を拡大又は縮小して前記視度補正用レンズに伝達することを特徴とする。
【００１４】
請求項３記載の発明によれば、特定のズーム状態における視度が温度変化に関係なくほぼ一定値となるように、レバー部材が、変位部の変位を拡大又は縮小して視度補正用レンズに伝達するので、特定のズーム状態における視度が温度変化に関係なくほぼ一定値に保たれる。従って、特定のズーム状態において、温度変化に関係なく、良好な視野が得られる。
【００１５】
請求項４記載の発明は、請求項１又は２に記載のズームファインダにおいて、前記伝達部は、広角端及び望遠端の両ズーム状態における視度が温度変化に関係なくほぼ一致した状態となるように、前記変位部の変位を拡大又は縮小して前記視度補正用レンズに伝達することを特徴とする。
【００１６】
請求項４記載の発明によれば、広角端及び望遠端の両ズーム状態における視度が温度変化に関係なくほぼ一致した状態となるように、レバー部材が、変位部の変位を拡大又は縮小して視度補正用レンズに伝達するので、広角端及び望遠端の両ズーム状態における視度が温度変化に関係なくほぼ一致した状態に保たれる。従って、広角端及び望遠端の両ズーム状態にわたって視度が安定した快適な視野が得られる。
【００１７】
請求項５記載の発明は、光学装置において、請求項１〜４の何れかに記載のズームファインダを備えることを特徴とする。
【００１８】
請求項５記載の発明によれば、変倍比の大きな実像式のズームファインダを備える光学装置であっても、常温において広角端から望遠端にわたり視度が安定した快適な視野が得られると共に、広い温度範囲において視度を快適な範囲に収めることができる。
【００１９】
ここで、光学装置としては、例えば、写真機、ビデオカメラ等の各種カメラや、双眼鏡などが挙げられる。
【００２０】
【発明の実施の形態】
以下、図を参照して本発明の実施の形態を詳細に説明する。
まず、構成を説明する。
この実施の形態のズームファインダは、実像式のズームファインダであって、例えば、コンパクトカメラ等の光学装置に備えられるものである。このズームファインダは、物体側から眼球側に向かって順に、正の屈折力を有する対物レンズ系１と、正立化のための中間光学系（例えば、プリズムなど）と、正の屈折力を有する接眼レンズ系と、温度変化に伴う視度のズレを補正する視度補正手段１０とを備えている。
【００２１】
図１に示すように、対物レンズ系１は、物体側（図１の左側）から順に、負の屈折力を有する第１のレンズ群Ｇ１（視度補正用レンズ）と、正の屈折力を有する第２のレンズ群Ｇ２と、負の屈折力を有する第３のレンズ群Ｇ３とを備えている。そして、このズームファインダでは、第２のレンズ群Ｇ２及び第３のレンズ群Ｇ３を光軸方向に移動することによって、広角端（ワイド）から望遠端（テレ）までの変倍が行われ、一方、第１のレンズ群Ｇ１を光軸方向に微少移動することによって、視度の調整が行われるようになっている。
【００２２】
第２のレンズ群Ｇ２及び第３のレンズ群Ｇ３は、図１及び図２に示すように、本体枠４内部に形成される遮蔽空間４Ａに配置されている。この遮蔽空間４Ａには、軸線を光軸方向とする案内軸１１が架設され、この案内軸１１には、その軸線方向に摺動自在な状態で、第２のレンズ群Ｇ２を支持するレンズ枠２ｂと、第３のレンズ群Ｇ３を支持するレンズ枠２ｃがそれぞれ取り付けられている。これらレンズ枠２ｂ、２ｃは、図示省略の駆動手段により付与される駆動力によって、案内軸１１の軸線方向（光軸方向）に摺動するようになっている。
【００２３】
第１のレンズ群Ｇ１は、図１に示すように、本体枠４の物体側壁面４Ｃに設けられた開口部４Ｂを閉塞するように配置され、レンズ枠２ａ及び弾性部材７を介して本体枠４に取り付けられている。弾性部材７には、軸線を光軸方向とする視度調整ねじ８の先端が当接した状態となっていて、この視度調整ねじ８のねじ込み量を調整することにより、弾性部材７の自由端側にある第１のレンズ群Ｇ１が光軸方向に変位して、視度が調整されるようになっている。この視度調整ねじ８による視度調整は、主に、近視、遠視などの目の個人差による視度のバラツキを調整したり、ズームファインダを構成する各部材の寸法誤差や組立誤差による視度のバラツキを調整したりするのに用いられる。
【００２４】
視度補正手段１０は、変位部を構成する第１の部材として例示する本体枠４と、変位部を構成する第２の部材として例示するシャフト５と、変位部の変位（本体枠４とシャフト５との間に生じる相対的な変位）を光軸方向の変位に変換して第１のレンズ群Ｇ１（視度補正用レンズ）に伝達する伝達部として例示するレバー部材６と、光軸方向に微少移動可能な状態で第１のレンズ群Ｇ１を保持する保持部として例示する弾性部材７と、により概略構成されている。
【００２５】
即ち、本体枠４には、図２に示すように、物体側壁面４Ｃに、レバー取付部４Ｄが突設されており、このレバー取付部４Ｄには、支軸９を中心に回動可能な状態でレバー部材６が取り付けられている。このレバー部材６は、その中途部に配置される支軸９を軸として回動することにより、一方の端部から他方の端部に変位を伝達可能となっている。
また、レバー部材６は、その一方の端部に上記視度調整ねじ８を有し、この視度調整ねじ８は弾性部材７と当接し、また、レバー部材６の他方の端部はシャフト５と当接した状態となっている。即ち、レバー部材６には、図２から見て反時計方向の付勢力が弾性部材７より付与されていて、これにより、レバー部材６とシャフト５の当接状態、及び視度調整ねじ８と弾性部材７の当接状態がそれぞれ保たれるようになっている。
シャフト５は、光軸と平行に配置され、その一端が、本体枠４の物体側壁面４Ｃに設けられる貫通孔４Ｅを通って本体枠４の外部に突出する一方、他端が、物体側壁面４Ｃと対向する壁面４Ｆに固着されている。シャフト５は、温度変化に対する線膨張係数が本体枠４に比べて小さい材質により構成されており、本体枠４の外部に突出する突出量ｌ（図２参照）が温度によって変化するようになっている。例えば、温度が下がると、シャフト５より本体枠４の方が大きく収縮して、突出量ｌが増大する一方、温度が上昇すると、シャフト５より本体枠４の方が大きく膨張して、突出量ｌが減少するようになっている。つまり、温度変化に対する線膨張係数がシャフト５と本体枠４とで異なっているので、温度変化があった場合には、該温度変化に応じた伸縮差（相対的な変位）がシャフト５と本体枠４との間で生じる。
【００２６】
従って、例えば、温度が低下すると、突出量ｌが増大することによって、図２から見て時計方向にレバー部材６が回動し、該回動に伴い、視度調整ねじ８が弾性部材７を押圧し、その結果、第１のレンズ群Ｇ１が第２のレンズ群Ｇ２と近接する方向に所要量移動する。
一方、温度が上昇すると、突出量ｌが減少することによって、図２から見て反時計方向にレバー部材６が回動し、第１のレンズ群Ｇ１が第２のレンズ群Ｇ２と離間する方向に所要量移動する。
【００２７】
ところで、ファインダの視度は温度が低くなると、屈折率が変化して＋側に変化する性質があり、また、第１のレンズ群Ｇ１が負で、第２のレンズ群Ｇ２が正の屈折力を有するファインダにおいては、第１のレンズ群Ｇ１が第２のレンズ群Ｇ２と近接する方向に移動すると、視度が−側に変化する性質がある。
【００２８】
従って、温度が低下すると、屈折率の変化による視度の＋側への変動と、第１のレンズ群Ｇ１の移動による視度の−側への変動とが打ち消し合う。一方、温度が上昇すると、屈折率の変化による視度の−側への変動と、第１のレンズ群Ｇ１の移動による視度の＋側への変動とが打ち消し合う。つまり、温度変化に伴う視度のズレが、第１のレンズ群Ｇ１の移動によって自動的に補正される。このため、温度変化に伴う視度の変動が少なくなる。
【００２９】
次に、レバー部材６のレバー比（シャフト５と本体枠４の伸縮差を第１のレンズ群Ｇ１に伝達する比率）の設定方法について、図３を参照しながら具体的に説明する。図３は、当該ズームファインダの視度と温度との関係を表したグラフである。但し、図３では、第１のレンズ群Ｇ１を固定した場合の視度（つまり、補正前の視度）を示している。図３に示すように、当該ズームファインダでは、２５℃を基準温度とし、この基準温度におけるワイド側（広角端）とテレ側（望遠端）の視度が、それぞれ−１．０ｍ-1（ディオプトリー）となるように設計されている。一般に、ファインダの視度が−１．０ｍ-1に近ければ理想的であり、−２．０ｍ-1から０ｍ-1の範囲にあれば見えが良いとされている。
【００３０】
先ず、図３のグラフを式で表すと以下のようになる。
ＤW（ｔ） ＝０．２５−１／２０×ｔ        ・・・（１）
ＤT（ｔ） ＝２．１２５−２．５／２０×ｔ  ・・・（２）
上記式（１）及び式（２）において、ＤW はワイド側の視度（ｍ-1）、ＤT はテレ側の視度（ｍ-1）、ｔは温度（℃）である。
また、第１のレンズ群Ｇ１が第２のレンズ群Ｇ２と近接する方向に微少移動することにより生じる視度の変化量は、以下の式で表される。
ｄW（ｘ） ＝−１．９×ｘ                  ・・・（３）
ｄT（ｘ） ＝−４１．２×ｘ                ・・・（４）
上記式（３）及び式（４）において、ｄW はワイド側の視度変化量（ｍ-1）、ｄT はテレ側の視度変化量（ｍ-1）、ｘは第１のレンズ群Ｇ１の移動量（mm）である。
【００３１】
〈第１の設定方法〉
第１の設定方法は、温度状態に関わらず、テレ側の視度を基準温度（２５℃）における視度（−１．０ｍ-1）に保つように、レバー部材６のレバー比を設定する方法である。
例えば、０℃におけるテレ側の視度（補正前）は、上記（２）式より、ＤT（０）＝２．１２５となるので、０℃において、テレ側の視度を−１．０ｍ-1とするには、ＤT（０）＋ｄT（ｘ）＝−１．０、即ち、ｄT（ｘ） ＝−３．１２５となるように、第１のレンズ群Ｇ１の移動量ｘを設定すればよい。従って、第１のレンズ群Ｇ１の移動量ｘは、上記（４）式より、０．０７６mmとなり、このときのワイド側の視度は、上記（１）式及び（３）式より、０．１０６ｍ-1となる。
【００３２】
ここで、例えば、シャフト５の材質が鉄（線膨張係数＝１５×１０-6）、本体枠４の材質がポリカーボネート（線膨張係数＝７０×１０-6）、シャフト５の長さが３０mmであるとし、２５℃の温度変化があった場合に、本体枠４とシャフト５との間に生じる相対的な変位（本体枠４とシャフト５の伸縮差）をΔｌとすると、Δｌ＝３０×（７０×１０-6−１５×１０-6）×２５＝０．０４１２５  （mm）となる。
つまり、レバー部材６のレバー比を、（第１のレンズ群Ｇ１の移動量ｘ）／（本体枠４とシャフト５の伸縮差Δｌ）＝０．０７６mm／０．０４１２５mm≒１．８４と設定すれば、温度状態に関わらずテレ側の視度が自動的に−１．０ｍ-1に補正されることとなる。（即ち、常温下では、ｘ、Δｌが何れも温度差にほぼ比例する関数となるので、レバー比（ｘ／Δｌ）が温度差に関係なくほぼ一定値となる。）
この第１の設定方法によれば、テレ側のズーム状態において、温度変化に関係なく良好な視野が得られる。
【００３３】
なお、同様にして、ワイド側の視度を基準温度における視度（−１．０ｍ-1）に保つように、レバー部材６のレバー比を設定することも可能である。
【００３４】
〈第２の設定方法〉
第２の設定方法は、テレ側とワイド側で視度差が出ないように、レバー部材６のレバー比を設定する方法である。
例えば、０℃におけるテレ側の視度（補正前）とワイド側の視度（補正前）とを一致させるには、ＤT（０）＋ｄT（ｘ）＝ＤW（０）＋ｄW（ｘ）となるように、第１のレンズ群Ｇ１の移動量ｘを設定すればよい。従って、第１のレンズ群Ｇ１の移動量ｘは、上記（３）式及び（４）式より、０．０４７７１mmとなり、このときのワイド側とテレ側の視度（補正後）は、０．１５９ｍ-1、レバー部材６のレバー比は、０．０４７７１mm／０．０４１２５mm≒１．１６倍となる。
この第２の設定方法によれば、テレ側とワイド側の両ズーム状態における視度が温度状態に関係なくほぼ一致した状態に保たれるので、テレ側からワイド側にわたって視度が安定した快適な視野が得られる。
【００３５】
次に、レバー部材６のレバー比を一般式を用いて導き出す。
【００３６】
Ｄ0Wを０℃におけるワイド側の視度（ｍ-1）、ｋWを視度ズレの温度勾配
（ｍ-1／℃） とすると、ｔ℃におけるワイド側の視度ＤW（ｔ） は、以下の式で表される。
ＤW（ｔ） ＝Ｄ0W−ｋW ×ｔ                ・・・（５）
また、Ｄ0Tを０℃におけるテレ側の視度（ｍ-1）、ｋTを視度ズレの温度勾配（ｍ-1／℃） とすると、ｔ℃におけるテレ側の視度ＤT（ｔ） は、以下の式で表される。
ＤT（ｔ） ＝Ｄ0T−ｋT ×ｔ                ・・・（６）
また、部材Ａ（この実施の形態ではシャフト５）の線膨張係数をαＡ、部材Ｂ（この実施の形態では本体枠４）の線膨張係数をαＢ（αＡ＜αＢ）、温度変化に伴う部材Ａと部材Ｂの伸縮差をとる長さをＬ、基準温度を２５℃、この基準温度からの温度変化をΔｔ（ｔ＝２５＋Δｔ）とすると、Δｔの温度差があった場合の部材Ａと部材Ｂの伸縮差（部材Ａと部材Ｂの間に生じる相対的な変位）ΔＬは、以下の式で表される。
ΔＬ＝Ｌ×（αＢ−αＡ）×Δｔ            ・・・（７）
また、基準温度においてテレ側とワイド側で視度差が無いとして、Δｔの温度差があった場合の視度ズレ量は、上記（５）式及び（６）式より、
δＤW（Δｔ） ＝−ｋW ×Δｔ              ・・・（８）
δＤT（Δｔ） ＝−ｋT ×Δｔ              ・・・（９）
となる。
【００３７】
〈テレ側の視度を一定の視度に保つように補正する場合〉
第１のレンズ群Ｇ１の移動量をｘ１（mm）、テレ側レンズ間効量（第１のレンズ群Ｇ１の単位移動量当たりのテレ側視度変化量）をｄT とすると、上記（９）式より、以下の関係式が成り立つ。
ｄT×ｘ１ ＝ｋT ×Δｔ                    ・・・（１０）
従って、テレ側の視度を一定の視度（基準温度における視度）に保つように補正する場合のレバー比ＲT は、上記（７）式及び（１０）式より、
ＲT ＝ｘ１／ΔＬ＝（ｋT×Δｔ／ｄT）／（Ｌ×（αＢ−αＡ）×Δｔ）
＝ｋT／（ｄT×Ｌ×（αＢ−αＡ））となる。
【００３８】
〈ワイド側の視度を一定の視度に保つように補正する場合〉
第１のレンズ群Ｇ１の移動量をｘ２（mm）、ワイド側レンズ間効量（第１のレンズ群Ｇ１の単位移動量当たりのワイド側視度変化量）をｄW とすると、上記（８）式より、以下の関係式が成り立つ。
ｄW ×ｘ２＝ｋW ×Δｔ                    ・・・（１１）
従って、ワイド側の視度を一定の視度（基準温度における視度）に保つように補正する場合のレバー比ＲW は、上記（７）式及び（１１）式より、
ＲW ＝ｘ２／ΔＬ＝（ｋW×Δｔ／ｄW）／（Ｌ×（αＢ−αＡ）×Δｔ）
＝ｋW／（ｄW×Ｌ×（αＢ−αＡ））となる。
【００３９】
〈テレ側とワイド側で視度差が出ないように補正する場合〉
第１のレンズ群Ｇ１の移動量をｘ３（mm）とすると、以下の関係式が成り立つ。
ｋW ×Δｔ−ｄW ×ｘ３＝ｋT ×Δｔ−ｄT ×ｘ３  ・・・（１２）
従って、テレ側とワイド側で視度差が出ないように補正する場合のレバー比ＲWTは、上記（７）式及び（１２）式より、
ＲWT＝ｘ３／ΔＬ
＝｛（ｋT−ｋW）／（ｄT−ｄW）×Δｔ｝／ΔＬ
＝（ｋT−ｋW）／｛（ｄT−ｄW）×（αＢ−αＡ）×Ｌ｝となる。
【００４０】
この実施の形態のズームファインダによれば、温度変化に応じて第１のレンズ群Ｇ１（視度補正用レンズ）を光軸方向に微少移動させて、温度変化に伴う視度のズレを補正する視度補正手段１０を備えたので、温度変化に伴う視度の変動を少なくすることができる。
従って、従来よりも広い温度範囲において、視度を快適な範囲に収めることができる。特に、この実施の形態のズームファインダのように、変倍比の大きな実像式のズームファインダにおいては、一般に、温度変化に伴う視度の変動が大きく、また、ズーム状態により視度にバラツキが生じ易いとされるので、より大きな効果を奏することができる。
つまり、この実施の形態のズームファインダを備えるコンパクトカメラ（光学装置）によれば、常温において広角端から望遠端にわたり視度が安定した快適な視野が得られると共に、広い温度範囲において視度を快適な範囲に収めることができる。
【００４１】
なお、以上の実施の形態においては、ズームファインダとして、対物レンズ系１の実像を接眼レンズ系で観察する実像式のズームファインダを例示したが、これに限定されるものではなく、その他のズームファインダに本発明を適用することも可能である。
また、この実施の形態では、コンパクトカメラのズームファインダとしたが、これ以外の光学装置、例えば、写真機以外のカメラ（ビデオカメラ、ＴＶカメラ）や双眼鏡のズームファインダとしてもよい。
また、この実施の形態では、視度補正用レンズとして、対物レンズ系１の第１のレンズ群Ｇ１を例示したが、光軸方向に微少移動することによって視度補正が可能なレンズ或いはレンズ群であれば、その他のレンズ或いはレンズ群であってもよい。
また、変位部、伝達部、保持部等の構成も任意であり、その他、具体的な細部構造等についても適宜に変更可能であることは勿論である。
【００４２】
【発明の効果】
請求項１記載の発明によれば、視度補正手段が、温度変化に応じて視度補正用レンズを光軸方向に微少移動させて、温度変化に伴う視度のズレを補正するので、温度変化に伴う視度の変動を少なくすることができる。
従って、従来よりも広い温度範囲において、視度を快適な範囲に収めることができる。特に、変倍比の大きな実像式のズームファインダにおいては、一般に、温度変化に伴う視度の変動が大きく、また、ズーム状態により視度にバラツキが生じ易いとされるので、より大きな効果を奏することができる。
また、ガラス製のレンズを用いる場合のように、レンズのコストが増大したり、レンズの形状に制限を受けたりすることもない。
【００４３】
また、請求項１記載の発明によれば、保持部により視度補正用レンズが光軸方向に微少移動可能な状態で保持されていて、例えば、温度変化があった場合には、該温度変化に伴い変位部が膨張或いは収縮して温度変化に応じた変位を生じると共に、該変位を伝達部が光軸方向の変位に変換して視度補正用レンズに伝達するので、温度変化があった場合には、その温度変化に応じて視度補正用レンズが自動的に光軸方向に微少移動されることとなる。従って、例えば、モータ等の駆動手段や、温度センサ等の検出手段、該検出手段による検出に基づき前記駆動手段を制御するＣＰＵ等の制御手段などを備えて構成される視度補正手段などと比べて、視度補正手段の構成が簡素となり、ズームファインダの小型化が可能となる。
【００４４】
請求項２記載の発明によれば、温度変化に対する線膨張係数が第１の部材と第２の部材とで異なっているので、例えば、温度変化があった場合には、第２の部材と第１の部材との間で相対的な変位が生じて、該変位が、レバー部材が回動することにより、レバー部材の一方の端部から他方の端部に伝達される。そして、そのときのレバー部材の回動量及び回動方向が温度の変化状態に依存することとなるので、温度の変化状態に応じた変位がレバー部材によって視度補正用レンズに伝達される。
【００４５】
請求項３記載の発明によれば、特定のズーム状態における視度が温度変化に関係なくほぼ一定値となるように、レバー部材が、変位部の変位を拡大又は縮小して視度補正用レンズに伝達するので、特定のズーム状態における視度が温度変化に関係なくほぼ一定値に保たれる。従って、特定のズーム状態において、温度変化に関係なく、良好な視野が得られる。
【００４６】
請求項４記載の発明によれば、広角端及び望遠端の両ズーム状態における視度が温度変化に関係なくほぼ一致した状態となるように、レバー部材が、変位部の変位を拡大又は縮小して視度補正用レンズに伝達するので、広角端及び望遠端の両ズーム状態における視度が温度変化に関係なくほぼ一致した状態に保たれる。従って、広角端及び望遠端の両ズーム状態にわたって視度が安定した快適な視野が得られる。
【００４７】
請求項５記載の発明によれば、変倍比の大きな実像式のズームファインダを備える光学装置であっても、常温において広角端から望遠端にわたり視度が安定した快適な視野が得られると共に、広い温度範囲において視度を快適な範囲に収めることができる。
【図面の簡単な説明】
【図１】本発明を適用した一実施の形態のズームファインダの要部構成を示す断面図である。
【図２】図１の矢印Ａ−Ａ線に沿った断面図である。
【図３】図１のズームファインダの視度（補正前）と温度との関係を表したグラフである。
【符号の説明】
１    対物レンズ系
２ａ、２ｂ、２ｃ  レンズ枠
４    本体枠（変位部、第１の部材）
５    シャフト（変位部、第２の部材）
６    レバー部材（伝達部）
７    弾性部材（保持部）
８    視度調整ねじ
１０  視度補正手段
Ｇ１  第１のレンズ群（視度補正用レンズ）
Ｇ２  第２のレンズ群
Ｇ３  第３のレンズ群
【図１】
0004528403.tif 000002
【図２】
0004528403.tif 000003
【図３】
0004528403.tif 000004